(57)【要約】【課題】径違いの継手部に対して一般の筒形金具を装着できるようにする調整バンドと、それを用いた筒形金具の装着方法を提供する。【解決手段】調整バンド３は、周方向の少なくとも１箇所に分割部４１を有し、接合管１ａに外嵌装着される環状のバンド本体４と、その分割部４１を締め付けるための締結具５と、接合管１ａとバンド本体４との間を密封するガスケット６とを備える。バンド本体４には、接合管１ａの外周面よりも径方向外側の位置で軸方向に延び、筒形金具２の端部２５が密着可能な被密着面３１が形成されている。【選択図】図１
2015124854.tif 000002
【特許請求の範囲】
【請求項１】
周方向の少なくとも１箇所に分割部を有し、接合管に外嵌装着される環状のバンド本体と、
前記分割部を締め付けるための締結具と、
前記接合管と前記バンド本体との間を密封するガスケットとを備え、
前記バンド本体に、前記接合管の外周面よりも径方向外側の位置で軸方向に延び、筒形金具の端部が密着可能な被密着面が形成されている調整バンド。
【請求項２】
前記バンド本体の軸方向の一方側に、前記バンド本体を構成する分割片同士を互いに係合させて前記分割部が開くのを阻止する係合部が設けられ、
前記バンド本体の軸方向の他方側に前記締結具が設けられている請求項１に記載の調整バンド。
【請求項３】
前記係合部が、前記分割部で相対する前記分割片の少なくとも一方から延びたフックを有する請求項２に記載の調整バンド。
【請求項４】
前記係合部が、前記バンド本体の軸方向の端面に設けられている請求項２又は３に記載の調整バンド。
【請求項５】
前記バンド本体の軸方向の一方側に、前記被密着面よりも外周側に突出した突起部が設けられている請求項１〜４のいずれか１項に記載の調整バンド。
【請求項６】
外径が互いに異なる一対の接合管が接続された径違いの継手部に対して、外径が相対的に小さい接合管に調整バンドを外嵌装着し、前記調整バンドの内周面を、その外径が相対的に小さい接合管の外周面にガスケットを介して密着させる工程と、
前記継手部の全体を取り囲むようにして筒形金具を外嵌装着し、前記筒形金具の軸方向の一方側の端部を、外径が相対的に大きい接合管の外周面にパッキンを介して密着させるとともに、前記筒形金具の軸方向の他方側の端部を、その外径が相対的に大きい接合管の外周面と同等の径寸法を有する前記調整バンドの被密着面にパッキンを介して密着させる工程と、を備える筒形金具の装着方法。
【発明の詳細な説明】
【技術分野】
【０００１】
本発明は、接合管の継手部を補修するための筒形金具の装着に利用される調整バンドと、それを用いた筒形金具の装着方法に関するものである。
【背景技術】
【０００２】
従来、塩化ビニル管（以下、「塩ビ管」と呼ぶ場合がある）などの接合管の継手部で流体が漏洩したときに、図５に示すような筒形金具９を用いて補修する場合がある。筒形金具９は、接合管１０の継手部の全体を取り囲むように外嵌装着され、その両端部と接合管１０との間がパッキン９１により密封される。これにより、筒形金具９の内部に形成された密閉空間９２内に流体が留められ、外部への流体の漏出を防止することができる。このような筒形金具は、例えば特許文献１の図６，７に記載されている。
【０００３】
ところで、継手部の形態としては、図６のように、外径が互いに異なる一対の接合管１ａ，１ｂが径違いソケット８を介して接続されたものがある。しかし、この種の継手部では、図５で示したような一般の筒形金具を装着できないことから、図６のように特異な形状をした筒形金具９９を用いて補修する必要があった。もっとも、このような筒形金具９９は一品一様に製作される特注品となり、それに併せてパッキン９８も誂えることになるため、コストアップが不可避であった。
【先行技術文献】
【特許文献】
【０００４】
【特許文献１】特開２００２−２７６６３６号公報
【発明の概要】
【発明が解決しようとする課題】
【０００５】
本発明は上記実情に鑑みてなされたものであり、その目的は、径違いの継手部に対して一般の筒形金具を装着できるようにする調整バンドと、それを用いた筒形金具の装着方法を提供することにある。
【課題を解決するための手段】
【０００６】
上記目的は、下記の如き本発明により達成できる。即ち、本発明に係る調整バンドは、周方向の少なくとも１箇所に分割部を有し、接合管に外嵌装着される環状のバンド本体と、前記分割部を締め付けるための締結具と、前記接合管と前記バンド本体との間を密封するガスケットとを備え、前記バンド本体に、前記接合管の外周面よりも径方向外側の位置で軸方向に延び、筒形金具の端部が密着可能な被密着面が形成されているものである。かかる構成によれば、軸方向の両端部の内径が同じ一般の筒形金具を径違いの継手部に対しても使用でき、その継手部の補修に資することができる。
【０００７】
前記バンド本体の軸方向の一方側に、前記バンド本体を構成する分割片同士を互いに係合させて前記分割部が開くのを阻止する係合部が設けられ、前記バンド本体の軸方向の他方側に前記締結具が設けられているものが好ましい。かかる構成によれば、バンド本体の軸方向の一方側で分割部が開くのを係合部によって阻止しながら、軸方向の他方側では締結具によって分割部の締め付けを行うことができる。また、締結具を筒形金具の外部に配置できるため、一般の筒形金具を用いるうえで都合がよい。
【０００８】
前記係合部は、前記分割部で相対する前記分割片の少なくとも一方から延びたフックを有するものが好ましい。かかる構成では、シンプルな構造により係合部を構成できるため都合がよい。また、前記係合部は、前記バンド本体の軸方向の端面に設けられているものが好ましい。かかる構成によれば、筒形金具内に係合部が収まりやすくなるため、一般の筒形金具を用いるうえで都合がよい。
【０００９】
前記バンド本体の軸方向の一方側に、前記被密着面よりも外周側に突出した突起部が設けられているものが好ましい。かかる構成によれば、バンド本体が筒形金具から抜け出す方向の外力が作用した際に、突起部が筒形金具の端部に軸方向から当接し、バンド本体が筒形金具から抜け出すのを防止するため、筒形金具による継手部の補修を実効あるものにできる。
【００１０】
また、本発明の筒形金具の装着方法は、外径が互いに異なる一対の接合管が接続された径違いの継手部に対して、外径が相対的に小さい接合管に調整バンドを外嵌装着し、前記調整バンドの内周面を、その外径が相対的に小さい接合管の外周面にガスケットを介して密着させる工程と、前記継手部の全体を取り囲むようにして筒形金具を外嵌装着し、前記筒形金具の軸方向の一方側の端部を、外径が相対的に大きい接合管の外周面にパッキンを介して密着させるとともに、前記筒形金具の軸方向の他方側の端部を、その外径が相対的に大きい接合管の外周面と同等の径寸法を有する前記調整バンドの被密着面にパッキンを介して密着させる工程とを備える。
【００１１】
かかる方法によれば、径違いの継手部に対して、軸方向の両端部の内径が同じ一般の筒形金具を装着でき、延いては、その継手部の補修に資することができる。
【図面の簡単な説明】
【００１２】
【図１】本発明に係る調整バンドを装着した継手部の一例を示す半断面図
【図２】図１の継手部を軸方向から見たときの半断面図
【図３】分割片の（Ａ）正面図、（Ｂ）側面図および（Ｃ）底面図
【図４】図１の継手部において筒形金具を装着していない状態を示す側面図
【図５】継手部に装着された一般の筒形金具を示す半断面図
【図６】径違いの継手部に装着された特異な形状の筒形金具を示す半断面図
【発明を実施するための形態】
【００１３】
以下、本発明を実施するための形態について、図面を参照しながら説明する。
【００１４】
図１，２では、筒形金具２と調整バンド３とを備えた漏洩補修装置によって接合管１ａ，１ｂの継手部が補修されており、継手部から漏洩した流体が外部へ漏出しないようになっている。この継手部は、外径が互いに異なる一対の接合管１ａ，１ｂが接続された径違いの継手部であり、外径が相対的に小さい接合管１ａと、外径が相対的に大きい接合管１ｂとが、径違いソケット８を介して接続されている。接合管１ａ，１ｂは、それぞれ水道管に供される塩ビ管であるが、他の樹脂や金属などで形成された流体管でも構わない。
【００１５】
筒形金具２は、円筒状のケース体として構成され、例えばダクタイル鋳鉄によって形成される。筒形金具２は、周方向の複数箇所（本実施形態では３箇所）に分割部２１が設定された割り構造を有し、その分割部２１の各々が、Ｔ頭ボルトとナットからなる締結具２２によって締め付けられている。筒形金具２の軸方向の中央部は緩やかに膨出し、その軸方向の両端部の内径は同じ径寸法に設定されている。このような筒形金具の構造は一般的に知られたものであり、本発明の調整バンドや装着方法が利用される筒形金具は、これに限られるものではない。
【００１６】
筒形金具２を構成する分割片２ａ〜２ｃの各々にはパッキン２３が装着されており、分割部２１の各々は、締結具２２の締め付けに伴って互いに密着したそれらのパッキン２３により密封されている。パッキン２３は、筒形金具２の軸方向の両端部にも配置されていて、その軸方向の一方側（図１右側）の端部２４がパッキン２３を介して接合管１ｂの外周面に密着し、筒形金具２の軸方向の他方側（図１左側）端部２５がパッキン２３を介して調整バンド３の被密着面３１に密着する。継手部の外周に周隙間を残して装着された筒形金具２の内部には、密閉空間２６が形成される。
【００１７】
調整バンド３は、周方向の少なくとも１箇所に分割部４１を有して接合管１ａに外嵌装着される環状のバンド本体４と、その分割部４１を締め付けるための締結具５と、接合管１ａとバンド本体４との間を密封するガスケット６とを備える。バンド本体４は、例えばダクタイル鋳鉄により形成される。本実施形態のバンド本体４は、周方向の２箇所に分割部４１が設定された二つ割り構造を有し、互いに組み合わされた２つの分割片４ａ，４ｂが全体として環状体を構成している（図４参照）。
【００１８】
分割片４ａは、図３に示すような半円周状の部材であり、その両端部には締結具５のＴ頭ボルト５ａを挿通させるためのボルト孔４２が設けられている。図３で示していない分割片４ｂの形状も分割片４ａと同じであり、同一形状をなす複数の分割片によってバンド本体４が構成されている。図４のように、締結具５はＴ頭ボルト５ａとナット５ｂからなり、これらを操作して分割部４１を締め付けることにより分割片４ａ，４ｂが堅固に連結される。ガスケット６は、バンド本体４の内周側に形成された溝４３に装着され、分割部４１では分割片４ａ，４ｂの各々のガスケット６が互いに密着する。
【００１９】
バンド本体４には、接合管１ａの外周面よりも径方向外側の位置で軸方向に延び、筒形金具２の端部２５が密着可能な被密着面３１が形成されている。被密着面３１は全体として環状に延びるとともに、その外径は接合管１ｂの外径と同等になるように設定されており、したがって接合管１ａの外径よりも大きい外径を有する。被密着面３１は、溝４３の外周側に形成されていて、接合管１ａの外周面からの距離はバンド本体４の厚みよりも大きい。被密着面３１には筒形金具２の端部２５が密着するため、これらの間から流体が漏出しない。
【００２０】
このように、外径が小さい接合管１ａに調整バンド３を装着することで、その接合管１ａの外周側には、接合管１ｂの外径と同等の外径を有する被密着面３１が形成され、言わば接合管１ａ，１ｂの外径差が調整バンド３によって調整される。その結果、径違いの継手部に対して筒形金具２を装着できるようになり、しかも調整バンド３と接合管１ａとの間をガスケット６で密封しつつ、筒形金具２の端部２５と調整バンド３との間をパッキン２３で密封しうることから、密閉空間２６を適切に形成して継手部の補修に資することができる。
【００２１】
図４に示すように、バンド本体４の軸方向の一方側（図４右側）には、バンド本体４を構成する分割片４ａ，４ｂ同士を互いに係合させて分割部４１が開くのを阻止する係合部７が設けられ、そのバンド本体４の軸方向の他方側（図４左側）に締結具５が設けられている。係合部７は、締結具５とは異なり、分割部４１を締め付ける機能を有していない。締結具５は、被密着面３１の位置及びそれよりも一方側に設けられていないため筒形金具２の外部に配置され（図１参照）、このことは一般の筒形金具を用いるうえで都合がよい。
【００２２】
但し、このような構成では、締結具５を締め付けたときに分割部４１が一方側で開くように作用し、それに伴って作業性が損なわれる恐れがある。そこで、この調整バンド３では、分割部４１が一方側で開くのを係合部７によって阻止できるようにしている。本実施形態では、分割部４１の各々に締結具５を１つずつ設けているが、締結具５の数は、用途やサイズ等に鑑みた必要強度に応じて適宜に変更できる。
【００２３】
係合部７は、分割部４１で相対する分割片４ａ，４ｂの少なくとも一方から延びたフック７１を有し、本実施形態では、コの字状に延びたフック７１の先端を引っ掛けるための突部７２も設けられている。図３に示すように、フック７１と突部７２は分割片４ａの端部に設けられ、分割片４ｂの形状もこれと同じであるため、分割片４ａ，４ｂの各々のフック７１が相手方の突部７２に係合する。フック７１や突部７２は、例えば溶接や鋳造を利用して分割片４ａ，４ｂに設けることができる。
【００２４】
フック７１は、バンド本体４の軸方向の端面に設けられており、図３のように径方向外側への張り出しが無い又は小さい構造になっている。かかる構成によれば、図１に示すように、係合部７を簡単に筒形金具２内に収容できることから、一般の筒形金具を用いるうえで都合がよい。
【００２５】
係合部７の形状はこれに限定されるものではなく、分割部４１が開くのを阻止できるものであれば、他の形状を採用することも可能である。例えば、突部７２をフックに代えて、フック同士が係合する構造にしたり、突部７２を窪みに代えて、その窪みにフック７１の先端を差し入れる構造にしたりしても構わない。また、係合部７は、所要の係合作用が得られるものであれば、フックを有する構造に限られない。
【００２６】
図１，４に示すように、バンド本体４の軸方向の一方側には、被密着面３１よりも外周側に突出した突起部３２が設けられている。図１の状態において、バンド本体４が筒形金具２から抜け出す方向の外力が作用した際には、筒形金具２の端部２５に突起部３２が軸方向から当接し、バンド本体４が筒形金具２から抜け出すのを防止する。これにより、筒形金具２による継手部の補修を実効あるものにできる。軸方向における被密着面３１の長さＬは、例えば４０ｍｍ以上に設定され、より好ましくは５０ｍｍ以上に設定される。
【００２７】
この調整バンド３を用いて筒形金具２を径違いの継手部に装着する方法について説明する。まずは、これらの接合管１ａ，１ｂが接続された径違いの継手部に対して、図４のように接合管１ａに調整バンド３を外嵌装着し、その調整バンド３の内周面を接合管１ａの外周面にガスケット６を介して密着させる。このとき、分割片４ａ，４ｂ同士を係合部７で係合させることにより、締結具５を締め付けた際に分割部４１が一方側で開くのを阻止できる。また、締結具５を締め付けた状態では、被密着面３１の外径が接合管１ｂの外径と同等に設定される。
【００２８】
次に、図１，２のように、継手部の全体を取り囲むようにして筒形金具２を外嵌装着する。このとき、筒形金具２の端部２４を接合管１ｂの外周面にパッキン２３を介して密着させるとともに、その筒形金具２の端部２５を、接合管１ｂの外周面と同等の径寸法を有する被密着面３１にパッキン２３を介して密着させる。これにより筒形金具２の内部には密閉空間２６が形成され、継手部から漏洩した流体の外部への漏出を防止できるようになって、継手部が補修された状態となる。
【００２９】
本実施形態では、バンド本体４が周方向の２箇所に分割部４１を有する例を示したが、これに限られるものではなく、１箇所や３箇所以上に分割部を有する構造でも構わない。周方向の１箇所に分割部を有するバンド本体としては、例えば、バンド本体を構成する２つの分割片について、それらの端部同士を周方向の１箇所にてヒンジで連結した構造が考えられる。
【００３０】
接合管は、水道管に限られず、水以外の各種の液体や気体などの流体に用いられる流体管であってよい。
【００３１】
本発明は上述した実施形態に何ら限定されるものではなく、本発明の趣旨を逸脱しない範囲内で種々の改良変更が可能である。
【符号の説明】
【００３２】
１ｂ    接合管
１ａ    接合管
２      筒形金具
３      調整バンド
４      バンド本体
４ａ    分割片
４ｂ    分割片
５      締結具
６      ガスケット
７      係合部
８      径違いソケット
３１    被密着面
３２    突起部
４１    分割部
７１    フック
７２    突部
【図１】
2015124854.tif 000003
【図２】
2015124854.tif 000004
【図３】
2015124854.tif 000005
【図４】
2015124854.tif 000006
【図５】
2015124854.tif 000007
【図６】
2015124854.tif 000008